(57)【特許請求の範囲】
【請求項１】
ブロワーで排気を吸引して排気中の粉塵を集塵機で捕捉する粉塵捕捉装置において、
排気を吸引するブロワーと、当該ブロワーの吸引方向手前側に設けられ当該ブロワーで吸引された排気中の粉塵を捕捉する二以上の集塵機と、前記ブロワーと集塵機を連結する連結ホースと、前記集塵機内に設けられたフィルターを洗浄する洗浄装置と、当該洗浄装置と前記集塵機を連結する洗浄液供給ホースと、前記集塵機とブロワーに着脱可能な乾燥用ホースを備え、
前記集塵機は入口と出口を備え、
前記ブロワーは吸引口と吐出口を備え、
前記連結ホースは、前記集塵機の出口と前記ブロワーの吸引口に着脱可能であり、
前記連結ホースの一端を前記ブロワーの吸引口に接続し、他端を二以上の集塵機の出口に順次付け替えることによって、二以上の集塵機で粉塵を捕捉することができ、
前記洗浄液供給ホースは、その一端側を前記集塵機の出口に着脱可能であり、
前記洗浄装置と二以上の集塵機のうち粉塵捕捉済みフィルターを備えた集塵機を前記洗浄液供給ホースで連結し、前記洗浄装置から洗浄液供給ホースを通じて集塵機内に供給される洗浄液によって当該集塵機内の粉塵捕捉済みフィルターを洗浄することができ、
前記乾燥用ホースは、集塵機の出口とブロワーの吐出口に着脱可能であり、
二以上の集塵機から選択される任意の集塵機の出口と前記ブロワーの吸引口を連結ホースで連結し、
前記連結ホースが接続された集塵機とは異なる集塵機であって洗浄済みフィルターを備えた集塵機の出口と前記ブロワーの吐出口を前記乾燥用ホースで連結し、
前記ブロワーの吸引口に連結された集塵機で粉塵が捕捉され、当該ブロワーの吐出口から吐き出される洗浄空気を、前記乾燥用ホースを通じて前記洗浄済みフィルターを備えた集塵機内に送り込むことによって、洗浄済みフィルターを乾燥させることができる、
ことを特徴とする粉塵捕捉装置。
【請求項２】
請求項１記載の粉塵捕捉装置において、
洗浄液が貯留されたタンクを備え、
洗浄装置は前記タンク内に設置され、当該タンク内の洗浄液を汲みあげて洗浄液供給ホースが接続された集塵機内に洗浄液を供給可能である、
ことを特徴とする粉塵捕捉装置。
【請求項３】
請求項２記載の粉塵捕捉装置において、
タンク内に洗浄用の洗浄液が貯留される洗浄液貯留室が設けられ、
前記洗浄液貯留室に洗浄装置が設けられた、
ことを特徴とする粉塵捕捉装置。
【請求項４】
請求項３記載の粉塵捕捉装置において、
タンク内に洗浄後の廃液を貯留する廃液貯留室が洗浄液貯留室とは別に設けられ、
集塵機に洗浄廃液を排出する排出パイプが設けられ、
前記排出パイプの出口側が前記廃液貯留室に導入され、当該廃液貯留室に排出パイプから排出される洗浄廃液を排出可能である、
ことを特徴とする粉塵捕捉装置。
【請求項５】
請求項４記載の粉塵捕捉装置において、
洗浄液貯留室と廃液貯留室が連通しており、
前記廃液貯留室に濾過体が設けられ、
前記濾過体は、排出パイプの出口側の先方に配置され、
前記排出パイプから排出された洗浄廃液中の粉塵が前記濾過体で濾過され、当該濾過後の濾過済み液が前記廃液貯留室から前記洗浄液貯留室に流入可能である、
ことを特徴とする粉塵捕捉装置。
【請求項６】
粉塵捕捉装置を用いて排気中の粉塵を捕捉する粉塵捕捉方法において、
前記粉塵捕捉装置は、排気を吸引するブロワーと、当該ブロワーの吸引方向手前側に設けられ当該ブロワーで吸引された排気中の粉塵を捕捉する二以上の集塵機と、前記ブロワーと集塵機を連結する連結ホースと、前記集塵機内に設けられたフィルターを洗浄する洗浄装置と、当該洗浄装置と前記集塵機を連結する洗浄液供給ホースと、前記集塵機とブロワーに着脱可能な乾燥用ホースを備え、
前記集塵機は入口と出口を備え、
前記ブロワーは吸引口と吐出口を備え、
前記連結ホースの一端を前記ブロワーの吸引口に接続し、他端を二以上の集塵機の出口に順次付け替えることによって、二以上の集塵機で粉塵を捕捉し、
前記二以上の集塵機のうち粉塵捕捉済みフィルターを備えた集塵機と前記洗浄装置を洗浄液供給ホースで連結し、当該洗浄装置から洗浄液供給ホースを通じて前記集塵機内に洗浄液を供給して、当該洗浄液で集塵機内の粉塵捕捉済みフィルターを洗浄し、
前記洗浄液供給ホースが接続された集塵機内の粉塵捕捉済みフィルターを洗浄したのち、前記洗浄液供給ホースが接続された集塵機から当該洗浄液供給ホースを取り外し、
前記洗浄液供給ホースが取り外された集塵機の出口に乾燥用ホースの一端を接続し、乾燥用ホースの他端を前記ブロワーの吐出口に接続し、
前記ブロワーの吐出口から吐き出される洗浄空気を前記乾燥用ホースが接続された集塵機内に送り込み、当該集塵機内のフィルターを乾燥させる、
ことを特徴とする粉塵捕捉方法。
【請求項７】
請求項６記載の粉塵捕捉方法において、
二以上の集塵機のうちから選択される任意の集塵機とブロワーを連結ホースで連結し、前記集塵機とは異なる集塵機のうち粉塵捕捉済みフィルターを備えた集塵機と洗浄装置を洗浄液供給ホースで連結し、
前記連結ホースでブロワーと連結された集塵機での粉塵の捕捉と、洗浄液供給ホースで洗浄装置と連結された集塵機内の粉塵捕捉済みフィルターの洗浄を並行して行う、
ことを特徴とする粉塵捕捉方法。
【発明の詳細な説明】
【技術分野】
【０００１】
本発明は、例えば、アーク溶接時に生じる排気中の溶接ヒュームや隧道等の土木工事現場で発生する塵芥、塗装工事で発生して気化した溶剤等（本願では、これらをまとめて「粉塵」という）の捕捉に用いる粉塵捕捉装置及び粉塵捕捉方法に関するものである。
【背景技術】
【０００２】
小さな土埃や金属の粒などの無機物又は鉱物性の粉塵が発生する環境で仕事をしている労働者が患う病気として、「じん肺」が知られている。じん肺は、無機物や鉱物性の粉塵を多量に吸い込むことによって、肺の組織が線維化し、硬くなって弾力性を失う病気である。じん肺は、息切れ、咳、痰のほか、気管支炎や肺がん、気胸といった合併症も引き起こすことがあることから、厚生労働省では、対策を講じることを推進している（「厚生労働省ホームページ 第７次粉塵障害防止総合対策について」参照）。
【０００３】
このようなじん肺の一因となる物質として溶接ヒュームがある。溶接ヒュームは、溶接（アーク溶接）作業時に生じるミクロン単位の金属粉塵であり、肺の奥深くの肺胞にまで入り込んで沈降することによって、咳、痰、喘鳴、息切れといった前記呼吸器の異常を引き起こす。従来、このような溶接ヒュームの吸引による人体への悪影響を防止するための装置として、溶接ヒュームを洗浄液で捕捉する「溶接ヒューム湿式捕捉装置」（特許文献１）や「溶接排煙集塵装置」（特許文献２）、タンク内に取り込んだ排気を微細気泡にしてタンク内で破裂させ、微細気泡中の粉塵を洗浄液で捕捉する「粉塵捕捉装置」（特許文献３）などがある。
【先行技術文献】
【特許文献】
【０００４】
【特許文献１】特開平６−２９２９７０号公報
【特許文献２】特開平７−４００５５号公報
【特許文献３】特開２０１４−２３７１０８号公報
【発明の概要】
【発明が解決しようとする課題】
【０００５】
前記特許文献１記載の「溶接ヒューム湿式処理装置」は、処理液を揺動泡状とするための装置が必要であり、構造が複雑であるという難点がある。構造が複雑であると、製造やメンテナンスに費用も手間もかかる。また、構造の複雑化によって装置の小型化が困難になり、現場の広さによっては設置できないという難点もある。
【０００６】
前記特許文献２記載の「溶接排煙集塵装置」は、吸気室内に取り込んだ排気をそのまま洗浄液に接触させるため、排気と洗浄液との接触面積が小さく、捕捉効率に改善の余地がある。
【０００７】
前記特許文献３記載の「粉塵捕集装置」は、前記特許文献１及び２の課題を解決することができるが、フィルター交換や洗浄の最中は装置を使用することができず、作業時間のロスを招くおそれがある。また、前記粉塵捕集装置は、フィルター洗浄機能を備えていないため、粉塵捕集装置とは別にフィルター洗浄装置を用意する必要があり、コスト高を招くことがある。さらに、フィルター洗浄装置を用意しても、当該フィルター洗浄装置を設置する場所がないような現場では、フィルターを洗浄できないこともある。
【０００８】
本発明の解決課題は、時間的なロスを最小限に抑えて、連続的に粉塵を捕捉することができる粉塵捕捉装置及び粉塵捕捉方法を提供することにある。
【課題を解決するための手段】
【０００９】
本発明の粉塵捕捉装置は、ブロワーで排気を吸引して排気中の粉塵を集塵機で捕捉する粉塵捕捉装置であって、排気を吸引するブロワーと、当該ブロワーの吸引方向手前側に設けられ当該ブロワーで吸引された排気中の粉塵を捕捉する二以上の集塵機と、前記ブロワーと集塵機を連結する連結ホースと、前記集塵機内に設けられたフィルターを洗浄する洗浄装置と、当該洗浄装置と前記集塵機を連結する洗浄液供給ホースと、前記集塵機とブロワーに着脱可能な乾燥用ホースを備え、前記集塵機は入口と出口を備え、前記ブロワーは吸引口と吐出口を備え、前記連結ホースは、前記集塵機の出口と前記ブロワーの吸引口に着脱可能であり、前記連結ホースの一端を前記ブロワーの吸引口に接続し、他端を二以上の集塵機の出口に順次付け替える（例えば、他端を粉塵捕捉済みのフィルター（本願において「粉塵捕捉済みフィルター」という）を備えた集塵機から粉塵捕捉可能なフィルター（本願において「粉塵捕捉可能フィルター」という）を備えた他の集塵機に付け替える）ことによって、二以上の集塵機で粉塵を捕捉することができ、前記洗浄液供給ホースは、その一端側を前記集塵機の出口に着脱可能であり、前記洗浄装置と二以上の集塵機のうち粉塵捕捉済みフィルターを備えた集塵機を前記洗浄液供給ホースで連結し、前記洗浄装置から洗浄液供給ホースを通じて集塵機内に供給される洗浄液によって当該集塵機内の粉塵捕捉済みフィルターを洗浄することができ、前記乾燥用ホースは、集塵機の出口とブロワーの吐出口に着脱可能であり、二以上の集塵機から選択される任意の集塵機の出口と前記ブロワーの吸引口を連結ホースで連結し、前記連結ホースが接続された集塵機とは異なる集塵機であって洗浄済みのフィルター（本願において「洗浄済みフィルター」という）を備えた集塵機の出口と前記ブロワーの吐出口を前記乾燥用ホースで連結し、前記ブロワーの吸引口に連結された集塵機で粉塵が捕捉され、当該ブロワーの吐出口から吐き出される粉塵捕捉後の排気（本願において、「洗浄空気」という）を、前記乾燥用ホースを通じて前記洗浄済みフィルターを備えた集塵機内に送り込むことによって、洗浄済みフィルターを乾燥させることができるものである。
【００１０】
【００１１】
【００１２】
前記粉塵捕捉装置において、洗浄液を貯留するタンクを設け、洗浄装置をそのタンク内に設置し、そのタンク内の洗浄液を汲みあげて洗浄液供給ホースが接続された集塵機内に洗浄液を供給できるようにしてもよい。
【００１３】
前記粉塵捕捉装置において、タンク内に洗浄用の洗浄液が貯留される洗浄液貯留室を設け、その洗浄液貯留室に洗浄装置を設けるようにしてもよい。
【００１４】
前記粉塵捕捉装置において、タンク内に洗浄後の廃液（本願において「洗浄廃液」という）を貯留する廃液貯留室を洗浄液貯留室とは別に設け、集塵機に洗浄廃液を排出する排出パイプを設け、その排出パイプの出口側を廃液貯留室に導入し、廃液貯留室に排出パイプから排出される洗浄廃液を排出できるようにしてもよい。
【００１５】
前記粉塵捕捉装置において、洗浄液貯留室と廃液貯留室を連通させ、廃液貯留室に濾過体を設け、その濾過体を排出パイプの出口側の先方に配置し、排出パイプから排出された洗浄廃液中の粉塵を濾過体で濾過して、濾過後の洗浄廃液（本願において「濾過済み液」という）が廃液貯留室から洗浄液貯留室に流入するようにしてもよい。
【００１６】
［粉塵捕捉方法］
本発明の粉塵捕捉方法は、粉塵捕捉装置を用いて排気中の粉塵を捕捉する方法であって、粉塵捕捉装置は、排気を吸引するブロワーと、当該ブロワーの吸引方向手前側に設けられ当該ブロワーで吸引された排気中の粉塵を捕捉する二以上の集塵機と、前記ブロワーと集塵機を連結する連結ホースと、粉塵捕捉装置は集塵機内に設けられたフィルターを洗浄する洗浄装置と、当該洗浄装置と前記集塵機を連結する洗浄液供給ホースと、前記集塵機とブロワーに着脱可能な乾燥用ホースを備えたものであり、集塵機は入口と出口を備えており、ブロワーは吸引口と吐出口を備えており、連結ホースの一端を前記ブロワーの吸引口に接続し、他端を二以上の集塵機の出口に付け替える（例えば、粉塵捕捉済みフィルターを備えた集塵機から粉塵捕捉可能フィルターを備えた他の集塵機の出口に付け替える）ことによって、二以上の集塵機で順次粉塵を捕捉し、前記二以上の集塵機のうち粉塵捕捉済みフィルターを備えた集塵機と前記洗浄装置を洗浄液供給ホースで連結し、当該洗浄装置から洗浄液供給ホースを通じて前記集塵機内に洗浄液を供給して、当該洗浄液で集塵機内の粉塵捕捉済みフィルターを洗浄し、前記洗浄液供給ホースが接続された集塵機内の粉塵捕捉済みフィルターを洗浄したのち、前記洗浄液供給ホースが接続された集塵機から当該洗浄液供給ホースを取り外し、前記洗浄液供給ホースが取り外された集塵機の出口に乾燥用ホースの一端を接続し、乾燥用ホースの他端を前記ブロワーの吐出口に接続し、前記ブロワーの吐出口から吐き出される洗浄空気を前記乾燥用ホースが接続された集塵機内に送り込み、当該集塵機内のフィルターを乾燥する方法である。
【００１７】
【００１８】
前記粉塵捕捉方法において、二以上の集塵機のうちから選択される任意の集塵機とブロワーを連結ホースで連結し、前記集塵機とは異なる集塵機のうち粉塵捕捉済みフィルターを備えた集塵機と洗浄装置を洗浄液供給ホースで連結し、前記連結ホースでブロワーと連結された集塵機での粉塵の捕捉と、洗浄液供給ホースで洗浄装置と連結された集塵機内の粉塵捕捉済みフィルターの洗浄を並行して行うようにしてもよい。
【００１９】
【発明の効果】
【００２０】
本発明の粉塵捕捉装置には、次のような効果がある。
（１）二以上の集塵機を備えており、一方の集塵機の集塵能力が低下し或いは限界に達したときには、他方の集塵機で粉塵を捕捉することができるため、連結ホースの付け替え（配管）に要する僅かな時間のロスだけで連続的に集塵することができる。
（２）二以上の集塵機を交互に使用することができるので、集塵機の交換やフィルター交換に掛る費用を低減することができる。
（３）粉塵捕捉済みフィルターを洗浄する洗浄装置や洗浄済みフィルターの乾燥に用いる乾燥用ホースを設けた場合、一つの装置で粉塵の捕捉、フィルターの洗浄及び乾燥を行うことができるので、別途フィルター用の洗浄装置や乾燥装置を設ける必要がなく、装置を設置可能な範囲が限られているような狭小現場でも利用することができる。また、粉塵捕捉装置とは別に洗浄装置や乾燥装置を設ける必要がないため、設備コストを低減することもできる。
【００２１】
本発明の粉塵捕捉方法には、次のような効果がある。
（１）二以上の集塵機を備えた粉塵捕捉装置を用いる方法であるため、一方の集塵機の集塵能力が低下し或いは限界に達したときには、他方の集塵機で粉塵を捕捉することができ、連結ホースの付け替えに要する僅かな時間のロスだけで連続的に捕捉することができる。
（２）二以上の集塵機を交互に使用することができるので、集塵機の交換やフィルター交換に掛る費用を低減することができる。
（３）粉塵の捕捉と粉塵捕捉済みフィルターの洗浄或いは粉塵の捕捉と洗浄済みフィルターの乾燥を並行して行うことができるので、作業効率の向上に資する。
【図面の簡単な説明】
【００２２】
【図１】本発明の粉塵捕捉装置の一例を示す斜視図。
【図２】図１に示す粉塵捕捉装置を他方から見た場合の斜視図。
【図３】ブロワー、集塵機及び洗浄装置の接続パターンの説明図であって、（ａ）は一方の集塵機（本願において「第一の集塵機」という）とブロワーを連結ホースで接続し、他方の集塵機（本願において「第二の集塵機」という）と洗浄装置を洗浄液供給ホースで接続した場合の平面図、（ｂ）は第二の集塵機とブロワーを連結ホースで接続し、第一の集塵機と洗浄装置を洗浄液供給ホースで接続した場合の平面図、（ｃ）は第二の集塵機とブロワーを連結ホースで接続し、第一の集塵機とブロワーを乾燥用ホースで接続した場合の平面図。
【図４】（ａ）本発明の粉塵捕捉装置の内部構造の一例を示す説明図、（ｂ）は本発明の粉塵捕捉装置の内部構造の他例を示す説明図。
【図５】（ａ）〜（ｆ）は、集塵機での粉塵の捕捉及び集塵機の洗浄を並行して行う場合の手順説明図。
【図６】（ａ）〜（ｆ）は、集塵機での粉塵の捕捉及び集塵機の乾燥を並行して行う場合の手順説明図。
【図７】本発明の粉塵捕捉装置の使用例を示すもので、（ａ）は室内での溶接作業時に生じる排気を処理する場合の説明図、（ｂ）は屋外での溶接作業時に生じる排気を処理する場合の説明図、（ｃ）は鋼管内での溶接作業時に生じる排気を処理する場合の説明図。
【発明を実施するための形態】
【００２３】
（粉塵捕捉装置の実施形態）
本発明の粉塵捕捉装置１の一例を、図面を参照して説明する。本発明の粉塵捕捉装置１は各種用途で用いることができるが、ここでは、アーク溶接作業時に生じる排気Ｘを吸引し、当該排気Ｘに含まれる粉塵（溶接ヒューム）を捕捉する場合を一例として説明する。
【００２４】
一例として図１及び図２に示す粉塵捕捉装置１は、タンク２と、ブロワー３と、二つの集塵機（第一の集塵機４ｘ及び第二の集塵機４ｙ）４と、洗浄装置６（図４（ａ）（ｂ））を備えたものであり、後述する連結ホース９を二つの集塵機４に順次付け替えることによって、二以上の集塵機４で連続的に集塵を可能としたものである。この粉塵捕捉装置１は、ブロワー３、集塵機４及び洗浄装置６を、後述する各種ホース（連結ホース９を含む）で接続し、それらホースを入れ替え或いは取り替えることによって、一つの装置で粉塵の捕捉と粉塵捕捉済みフィルターの洗浄、又は粉塵の捕捉と洗浄済みフィルターの乾燥を並行して行うこともできる。
【００２５】
具体的には、図１〜３（ａ）のように、第一の集塵機４ｘとブロワー３を連結ホース９で接続し、第二の集塵機４ｙと洗浄装置６（図４（ａ）（ｂ））を洗浄液供給ホース１０で接続した場合、第一の集塵機４ｘで粉塵を捕捉しながら、第二の集塵機４ｙ内のフィルターを洗浄することができる。図１〜３（ａ）とは反対に、図３（ｂ）のように、第二の集塵機４ｙとブロワー３を連結ホース９で接続し、第一の集塵機４ｘと洗浄装置６（図４（ａ）（ｂ））を洗浄液供給ホース１０で接続した場合、第二の集塵機４ｙで粉塵を捕捉しながら、第一の集塵機４ｘ内の粉塵捕捉済みフィルターを洗浄することができる。また、洗浄済みフィルターを乾燥する場合、例えば、図３（ｃ）のように、第二の集塵機４ｙの出口４ｂ側とブロワー３の吸引口３ａ側を連結ホース９で接続し、第一の集塵機４ｘの出口４ｂ側とブロワー３の吐出口３ｂ側を乾燥用ホース１１に接続することで、第二の集塵機４ｙで粉塵を捕捉するとともに、ブロワー３の吐出口３ｂから吐き出される洗浄空気を第一の集塵機４ｘに送り込み、当該洗浄空気によって第一の集塵機４ｘ内の洗浄済みフィルターを乾燥させることができる。
【００２６】
前記タンク２は溶接ヒュームの捕捉に用いる洗浄液Ｗ１を収容するとともに、洗浄廃液Ｗ２を貯留するものである。一例として図１及び図２に示すタンク２は上面に開口部を備えた直方体状であり、開口部の周縁の鍔１２に、タンク２の開口部よりも大きな長方形状の蓋１３を載せられるようにしてある。図４（ａ）に示すように、タンク２の内部は平板状の仕切り体１４で二つの小室に仕切られ、一方の小室（本願において、「洗浄液貯留室」という）２ａに洗浄液Ｗ１が貯留され、他方の小室（本願において、「廃液貯留室」という）２ｂに洗浄廃液Ｗ２が貯留されている。
【００２７】
タンク２の内部は、図４（ｂ）のように当該タンク２の床に届かない仕切り体１４で仕切って、洗浄液貯留室２ａと廃液貯留室２ｂを連通させることもできる。この場合、廃液貯留室２ｂに濾過体７を配設し、当該濾過体７で洗浄廃液Ｗ２中の粉塵を濾過したうえで、濾過済み液Ｗ３を洗浄液として洗浄液貯留室２ａに流入させるようにするのが望ましい。濾過体７は後述する排出パイプ２１の出口側の先方に配置し、排出パイプ２１から排出される廃液中の粉塵を濾過できるようにしておくのが好ましい。
【００２８】
図示は省略するが、濾過体７には、例えば、二枚の板材間に布材が配設されたもの等を用いることができる。板材には、エキスパンドメタルやプラスチック板、木板等を、板材の間に配設する布材には、不織布や化成材等を用いることができる。濾過体７の外周と洗浄液貯留室２ａの内壁の間隙にはコーキング処理が施してあり、洗浄液貯留室２ａの内壁と濾過体７の外周との隙間から粉塵を含む洗浄廃液Ｗ２が通過しないようにしてある。コーキング材には、例えば、コニシ株式会社製の「ボンドウレタンコーク」を用いることができる。濾過体７は、洗浄液貯留室２ａの深さ方向（上下方向）に間隔をあけて二以上設けることもできる。この場合、夫々の濾過体７で、異なる粒径の粉塵を捕集できるように目の粗さが異なるものを用意するのが好ましい。図４（ｂ）に示す例では、濾過体７を水平に設けているが、濾過体７は勾配をつけて（斜めにして）設けることもできる。濾過体７を複数枚設ける場合、全てを水平にすることも、全て同じ勾配・向きとなるように設けることも、異なる勾配・向きとなるように設けることもできる。
【００２９】
図１及び図２に示すように、洗浄液貯留室２ａと廃液貯留室２ｂのそれぞれの周壁にはドレイン１５ａ、１５ｂが設けられ、洗浄液貯留室２ａ内の洗浄液Ｗ１及び廃液貯留室２ｂ内の洗浄廃液Ｗ２をタンク２外に排出できるようにしてある。それぞれのドレイン１５ａ、１５ｂは開閉レバー１６ａ、１６ｂ（図１及び図２）を操作することによって開閉できるようにしてある。ドレイン１５ａ、１５ｂ用のパイプには縦向きのパイプが立設され、簡易な水位計１７ａ、１７ｂとして、洗浄液貯留室２ａ内の洗浄液Ｗ１又は廃液貯留室２ｂの洗浄廃液Ｗ２の量を確認できるようにしてある。図４（ｂ）のように、洗浄液貯留室２ａと廃液貯留室２ｂを連通させ、廃液貯留室２ｂに濾過体７を設ける場合、ドレイン１５ｂを濾過体７よりも上側に設置し、濾過体７の上に蓄積する粉塵を洗浄廃液Ｗ２とともにタンク２外に排出できるようにするのが望ましい。この実施形態では、タンク２に移動用のキャスター１８を設けてあるが、キャスター１８は必要に応じて設ければよく、不要な場合には設けなくてもよい。
【００３０】
前記ブロワー３は、溶接作業時に生じる排気Ｘを吸引して集塵機４内に取り込むための装置である。ブロワー３には既存の又は新規のものを用いることができ、例えば、株式会社日立産機システム製の「VORTEX BLOWER VB-015-G2」を用いることができる。ブロワー３にはこれ以外のものを用いることもできる。ブロワー３は側面視コ字状の二つの鋼材１９ａ、１９ｂを背中合わせにして構成された支持台１９上に載置してある。図示は省略しているが、この支持台１９には、ブロワー３用のスイッチが収容された電源ボックスが設けられている。ブロワー３には排気Ｘを吸引するための吸引口３ａと洗浄空気を吐き出すための吐出口３ｂが設けられ、吸引口３ａ側に吸引口端子２０ａが、吐出口３ｂ側に吐出口端子２０ｂが設けられている。吸引口端子２０ａ及び吐出口端子２０ｂには、前記連結ホース９や乾燥用ホース１１といった各種ホースを接続できるようにしてある。
【００３１】
前記集塵機４は、吸引される排気Ｘ中の粉塵を捕捉するものであり、筐体の内部に捕捉用のフィルター（図示しない）が設けられている。一例として図１及び図２に示す集塵機４の筐体は縦長の箱形であり、長手方向一方の側面に排気Ｘを集塵機４内に取り込むための入口４ａが、他方側の側面に洗浄空気を集塵機４外に排出するための出口４ｂが設けられている。集塵機４の入口４ａ及び出口４ｂには接続端子（本願において、入口側の接続端子を「入口端子５ａ」と、出口側の接続端子を「出口端子５ｂ」という）５が設けられ、吸引ホース８や排出ホース２４、連結ホース９、洗浄液供給ホース１０、乾燥用ホース１１といった各種ホースを接続できるようにしてある。接続端子５には、いわゆるタケノコ型端子などを用いることができる。集塵機４は、図１及び図２のように横並びに設置することも、上下に積み重ねて設置することもできる。
【００３２】
集塵機４の入口４ａ側の側面には、洗浄廃液Ｗ２を集塵機４外に排出するための排出パイプ２１が引き出されている。一例として図１に示す排出パイプ２１はＬ字状の管材であり、その先端側がタンク２の蓋１３のパイプ孔１３ａを貫通してタンク２内の廃液貯留室２ｂに導入され、集塵機４から排出された洗浄廃液Ｗ２が当該廃液貯留室２ｂに貯留されるようにしてある。排出パイプ２１は、タンク２の外に導出し、洗浄廃液Ｗ２をタンク２外に排出できるようにしてもよい。排出パイプ２１の先端は、廃液貯留室２ｂ内に貯留される洗浄廃液Ｗ２中に到達するようにしておくのが望ましい。排出パイプ２１の先端を洗浄廃液Ｗ２中に到達するようにしておくことで、排出パイプ２１から排出される洗浄廃液Ｗ２が飛び散らず、当該洗浄廃液Ｗ２中の粉塵の飛散を防止することができる。
【００３３】
前記洗浄装置６は、集塵機４内に設けられたフィルター（具体的には、集塵捕捉済みフィルター）を洗浄するためのものであり、タンク２の洗浄液貯留室２ａ内に設けられている。洗浄装置６は洗浄液貯留室２ａ内に貯留された洗浄液Ｗ１を汲みあげ、洗浄液供給ホース１０を通じて、当該洗浄液Ｗ１を集塵機４に供給することができる。洗浄装置６には、新規の又は既存のポンプを用いることができる。
【００３４】
前記吸引ホース８は粉塵発生個所から集塵機４内に粉塵を含む排気Ｘを導入するためのホースである。吸引ホース８の先端には、図４（ａ）（ｂ）に示すようなフード２２が設けられ、溶接作業時に生じる排気Ｘを吸引しやすくしてある。図４（ａ）（ｂ）の例では、湾曲した皿状のフード２２を用いているが、フード２２の形状は任意に設計することができる。不要な場合、フード２２は設けなくてもよい。吸引ホース８は、集塵機４の入口端子５ａに着脱できるようにしてある。吸引ホース８はブロワー３の吸引力によって排気Ｘを集塵機４内に吸引するものであるため、二つの集塵機４のうち連結ホース９でブロワー３に接続された方の集塵機４に接続する。具体的には、図１〜図３（ａ）に示す例では、ブロワー３の吸引側に接続された第一の集塵機４ｘの入口端子５ａに吸引ホース８を接続し、図３（ｂ）（ｃ）に示す例では、ブロワー３の吸引側に接続された第二の集塵機４ｙの入口端子５ａに吸引ホース８を接続する。
【００３５】
前記連結ホース９は集塵機４とブロワー３を接続して、ブロワー３の吸引力で排気Ｘを集塵機４内に取り込むためのホースである。連結ホース９は、二つの集塵機４のうち入口端子５ａに吸引ホース８が接続された方の集塵機４に接続する。具体的には、図１〜図３（ａ）に示す例では、入口端子５ａに吸引ホース８が接続された第一の集塵機４ｘの出口端子５ｂに接続し、図３（ｂ）（ｃ）に示す例では、入口端子５ａに吸引ホース８が接続された第二の集塵機４ｙの出口端子５ｂに接続する。
【００３６】
前記洗浄液供給ホース１０は、洗浄装置６で汲みあげられる洗浄液Ｗ１を、集塵機４に供給するためのホースである。洗浄液供給ホース１０は、二つの集塵機４のうち吸引ホース８及び連結ホース９が接続されていない方の集塵機４に接続する。具体的には、図１〜図３（ａ）に示す例では、吸引ホース８も連結ホース９も接続されていない第二の集塵機４ｙの出口端子５ｂに接続し、図３（ｂ）（ｃ）に示す例では、吸引ホース８も連結ホース９も接続されていない第一の集塵機４ｘの出口端子５ｂに接続する。集塵機４の出口端子５ｂに洗浄液供給ホース１０を接続する場合、集塵機４の入口端子５ａからも洗浄廃液Ｗ２が排出されるため、当該集塵機４の入口端子５ａには、図１に示すような排出ホース２４を接続して洗浄廃液Ｗ２をタンク２の廃液貯留室２ｂに排出するか、入口端子５ａをキャップ（図示しない）で閉塞し、洗浄廃液Ｗ２が入口端子５ａから外部に排出されないようにする。入口端子５ａに排出ホース２４を接続する場合、洗浄廃液Ｗ２を廃液貯留室２ｂに排出できるよう、その出口側を蓋１３のホース孔１３ｂを貫通して廃液貯留室２ｂ内に導入し、その先端を廃液貯留室２ｂ内の廃液に到達するようにしておくのが好ましい。なお、ホース孔１３ｂは、排出ホース２４を用いるとき以外はキャップ（図示しない）で閉塞できるようにしてある。
【００３７】
洗浄液供給ホース１０は、図４（ａ）（ｂ）のように、洗浄装置６に接続した方とは反対側の端部を、蓋１３の開口部から直接引き出して集塵機４の出口端子５ｂに接続することもできるが、図１及び図２に示すように、洗浄液供給ホース１０を二本のホースで構成し、そのうちの一本のホースを洗浄装置６と蓋１３の開口部に設けられたコネクタ２３に、他のホースをコネクタ２３と集塵機４の出口端子５ｂに接続することもできる。
【００３８】
前記乾燥用ホース１１は、洗浄済みフィルター及び当該洗浄済みフィルターを備えた集塵機４の乾燥に用いるものであり、ブロワー３の吐出口端子２０ｂ側と集塵機４の出口端子５ｂに接続して、ブロワー３の吐出口３ｂから吐き出される洗浄空気を集塵機４に送るためのものである。乾燥用ホース１１は、二つの集塵機４のうち吸引ホース８及び連結ホース９が接続されていない方の集塵機４に接続する。具体的には、図３（ｃ）に示す例では、吸引ホース８も連結ホース９も接続されていない第一の集塵機４ｘの出口端子５ｂに接続する。これとは反対に、第一の集塵機４ｘに吸引ホース８及び連結ホース９が接続されている場合には、乾燥用ホース１１は第二の集塵機４ｙの出口端子５ｂに接続する。なお、図示は省略しているが、集塵機４を三つ設けるような場合（説明の便宜上、三つ目の集塵機を「第三の集塵機」という）には、乾燥用ホース１１を第一の集塵機４ｘの出口端子５ｂとブロワー３の吐出口端子２０ｂ側に、洗浄液供給ホース１０を第二の集塵機４ｙの出口端子５ｂと洗浄装置６に、連結ホース９を第三の集塵機の出口端子５ｂとブロワー３の吸引口端子２０ａに接続し、第三の集塵機での粉塵の捕捉、第一の集塵機４ｘの乾燥、第二の集塵機４ｙの洗浄を並行して行うことができる。
【００３９】
本願における吸引ホース８や連結ホース９、洗浄液供給ホース１０、乾燥用ホース１１は、気体や液体を通過させることのできる管状部材であり、可撓性を有するものでも有しないものでもよい。前記吸引ホース８や連結ホース９、洗浄液供給ホース１０、乾燥用ホース１１には、例えば、金属製やステンレス製、樹脂製といった各種材質製のものを用いることができる。吸引ホース８、連結ホース９及び乾燥用ホース１１に関しては、耐熱性材料を用いるのが好ましい。
【００４０】
（粉塵捕捉方法の実施形態１）
本発明の粉塵捕捉方法の一例について、図５（ａ）〜（ｆ）を参照して説明する。この使用例は、粉塵の捕捉と粉塵捕捉済みフィルターの洗浄を並行して行う場合の例である。
（１）第一の集塵機４ｘの入口端子５ａに吸引ホース８を接続するとともに、その第一の集塵機４ｘの出口端子５ｂとブロワー３の吸引口端子２０ａに連結ホース９を接続する（図５（ａ））。
（２）吸引ホース８と連結ホース９を接続したのち、当該ブロワー３で排気Ｘを吸引し、第一の集塵機４ｘで当該排気Ｘ中の粉塵を捕捉する（図５（ｂ））。
（３）第一の集塵機４ｘでの粉塵の捕捉後、当該第一の集塵機４ｘに接続されている吸引ホース８及び連結ホース９を取り外し、その吸引ホース８を第二の集塵機４ｙの入口端子５ａに、連結ホース９を第二の集塵機４ｙの出口端子５ｂに付け替える（図５（ｃ））。
（４）第一の集塵機４ｘから吸引ホース８及び連結ホース９を取り外したのち、第一の集塵機４ｘの出口端子５ｂに一端が洗浄装置６に接続された洗浄液供給ホース１０の他端を接続する（図５（ｃ））。このとき、第一の集塵機４ｘの入口端子５ａには、必要に応じて排出ホース２４やキャップを取り付ける。
（５）ブロワー３で排気Ｘを吸引し、第二の集塵機４ｙ内で当該排気Ｘ中の粉塵を捕捉する。また、他方では、洗浄装置６を動作させ、当該洗浄装置６から洗浄液供給ホース１０を通じて供給される洗浄液Ｗ１で第一の集塵機４ｘ内の粉塵捕捉済みフィルターを洗浄する（図５（ｄ））。第二の集塵機４ｙでの粉塵の捕捉は、第一の集塵機４ｘを洗浄液供給ホース１０に接続する前（前記（４）の前）に開始することもできる。
（６）第二の集塵機４ｙでの粉塵の捕捉後、当該第二の集塵機４ｙに接続されている吸引ホース８及び連結ホース９を取り外すとともに、第一の集塵機４ｘに接続されている洗浄液供給ホース１０を取り外し、第一の集塵機４ｘの入口端子５ａに吸引ホース８を、出口端５ｂに連結ホース９を、第二の集塵機４ｙの出口端子５ｂに洗浄液供給ホース１０を接続する（図５（ｅ））。このとき、第二の集塵機４ｙの入口端子５ａには、必要に応じて排出ホース２４やキャップを取り付ける。
（７）ブロワー３で排気Ｘを吸引し、第一の集塵機４ｘで当該排気Ｘ中の粉塵を捕捉する。また、他方では、洗浄装置６を動作させ、当該洗浄装置６から供給される洗浄液Ｗ１で第二の集塵機４ｙ内の粉塵捕捉済みフィルターを洗浄する（図５（ｆ））。第一の集塵機４ｘでの粉塵の捕捉は、第二の集塵機４ｙを洗浄液供給ホース１０に接続する前（前記（４）の前）に開始することもできる。
（８）以後、前記（１）〜（７）の要領で、吸引ホース８、連結ホース９、洗浄液供給ホース１０を二つの集塵機４ｘ、４ｙに付け替え、粉塵の捕捉及び粉塵捕捉済みフィルターの洗浄を繰り返し行う。
【００４１】
（粉塵捕捉方法の実施形態２）
本発明の粉塵捕捉方法の一例について、図６（ａ）〜（ｆ）を参照して説明する。この使用例は、図５（ａ）〜（ｄ）を経て洗浄された洗浄済みフィルターの乾燥と、粉塵の捕捉を並行して行う場合の例である。
（１）図５（ａ）〜（ｄ）の手順に従い、第一の集塵機４ｘでの粉塵の捕捉と、粉塵捕捉済みフィルターの洗浄を行う。
（２）第一の集塵機４ｘの粉塵捕捉済みフィルターを洗浄したのち、第一の集塵機４ｘの出口端子５ｂから洗浄液供給ホース１０を取り外し、乾燥用ホース１１の一端を第一の集塵機４ｘの出口端子５ｂに、他端をブロワー３の吐出口端子２０ｂに接続する（図６（ａ））。
（３）第一の集塵機４ｘの出口端子５ｂとブロワー３の吐出口端子２０ｂを乾燥用ホース１１で接続したのち、ブロワー３で排気Ｘを吸引し、第二の集塵機４ｙで当該排気Ｘ中の粉塵を捕捉するとともに、当該第二の集塵機４ｙで粉塵が捕捉されてブロワー３を通過した洗浄空気を第一の集塵機４ｘに送り込み、当該洗浄空気で第一の集塵機４ｘ及びそのフィルターを乾燥させる（図６（ｂ））。このとき、第一の集塵機４ｘの入口端子５ａには、キャップを取り付けることもできる。
（４）第二の集塵機４ｙでの粉塵の捕捉及び第一の集塵機４ｘの乾燥が終わったのち、第一の集塵機４ｘに接続されている乾燥用ホース１１を取り外す（図６（ｃ））。
（５）第一の集塵機４ｘから乾燥用ホース１１を取り外したのち、当該第二の集塵機４ｙに接続されている吸引ホース８及び連結ホース９を取り外し、当該吸引ホース８を第一の集塵機４ｘの入口端子５ａに、連結ホース９を第一の集塵機４ｘの出口端子５ｂに接続する（図６（ｄ））。
（６）第二の集塵機４ｘから吸引ホース８及び連結ホース９を取り外したのち、当該第二の集塵機４ｙの出口端子５ｂに洗浄液供給ホース１０を接続し、第二の集塵機４ｙ内の粉塵捕捉済みフィルターを洗浄液Ｗ１で洗浄する（図６（ｅ））。このとき、第二の集塵機４ｙの入口端子５ａには、必要に応じて排出ホース２４やキャップを取り付ける。
（７）第二の集塵機４ｙ内の粉塵捕捉済みフィルターを洗浄したのち、第二の集塵機４ｙから洗浄液供給ホース１０を取り外すとともに、第二の集塵機４ｙの出口端子５ｂに乾燥用ホース１１の一端を接続し、当該乾燥用ホース１１の他端をブロワー３の吐出口３ｂに接続する（図６（ｆ））。このようにすることで、第一の集塵機４ｘで粉塵を捕捉するとともに、ブロワー３を通過した洗浄空気で第二の集塵機４ｙ内の洗浄済みフィルターを乾燥させることができる。このとき、第二の集塵機４ｙの入口端子５ａには、キャップを取り付けることもできる。
（８）以後、前記（１）〜（７）の要領で、吸引ホース８、連結ホース９、洗浄液供給ホース１０、乾燥用ホース１１を二つの集塵機４ｘ、４ｙに付け替えて、粉塵の集塵、フィルターの洗浄及び乾燥を繰り返し行う。
【００４２】
（粉塵捕捉方法のその他の実施形態）
前記実施形態では、粉塵捕捉済みフィルターを洗浄する場合や洗浄済みフィルターを乾燥する場合を含めて説明しているが、フィルターの洗浄や乾燥が不要な場合（例えば、二つの集塵機４を順番に一回ずつ使用すれば集塵が完了するような場合）には、第一の集塵機４ｘで集塵したのち、連結ホース９を第二の集塵機４ｙに付け替え、第二の集塵機４ｙで集塵を行えば足り、フィルターの洗浄や乾燥は省略することができる。
【産業上の利用可能性】
【００４３】
本発明の粉塵捕捉方法及び粉塵捕捉装置は、作業室Ｒ内（例えば、工場内）での溶接作業時に生じる排気Ｘを処理する場合（図７（ａ））のほか、屋外での溶接作業時に生じる排気Ｘの処理する場合（図７（ｂ））や、鋼管Ｐ内での溶接作業（例えば、鋼管同士を溶接する作業）時に生じる排気Ｘを処理する場合（図７（ｃ））など、様々な現場で使用することができる。また、本発明の粉塵捕捉方法及び粉塵捕捉装置１は、溶接ヒュームの捕捉（回収）のほか、隧道工事などの各種建設現場などで生じる粉塵の捕捉や、塗装工事で発生して気化した溶剤の捕捉にも用いることができる。
【符号の説明】
【００４４】
１  粉塵捕捉装置、２  タンク、２ａ  洗浄液貯留室、２ｂ  廃液貯留室、３  ブロワー、３ａ  吸引口、３ｂ  吐出口、４  集塵機、４ａ  入口、４ｂ  出口、４ｘ  第一の集塵機、４ｙ  第二の集塵機、５  接続端子、５ａ  入口端子、５ｂ  出口端子、６  洗浄装置、７  濾過体、８  吸引ホース、９  連結ホース、１０  洗浄液供給ホース、１１  乾燥用ホース、１２  鍔、１３  蓋、１３ａ  パイプ孔、１３ｂ  ホース孔、１４  仕切り板、１５ａ・１５ｂ  ドレイン、１６ａ・１６ｂ  開閉レバー、１７ａ・１７ｂ  水位計、１８  キャスター、１９  支持台、１９ａ・１９ｂ  鋼材、２０ａ  吸引口端子、２０ｂ  吐出口端子、２１  排出パイプ、２２  フード、２３  コネクタ、２４  排出ホース、Ｐ  鋼管、Ｒ  作業室、Ｗ１  洗浄液、Ｗ２  洗浄廃液、Ｗ３  濾過済み液、Ｘ  排気
【要約】
【課題】  時間的なロスを最小限に抑えて、連続的に粉塵を捕捉できるようにする。
【解決手段】  本発明の粉塵捕捉装置は、ブロワーと二以上の集塵機と連結ホースを備え、その連結ホースの一端をブロワーに接続し、他端を二以上の集塵機に順次付け替えることによって、二以上の集塵機で粉塵を捕捉する装置である。本発明の粉塵捕捉方法は、粉塵捕捉装置を用いて排気中の粉塵を捕捉する方法であって、粉塵捕捉装置として、ブロワーと二以上の集塵機と連結ホースを備えたものを利用し、連結ホースの一端をブロワーの吸引口に接続し、他端を二以上の集塵機に順次付け替えることによって、二以上の集塵機で粉塵を捕捉する方法である。
【選択図】図１【図１】
0005956646.tif 000002
【図２】
0005956646.tif 000003
【図３】
0005956646.tif 000004
【図４】
0005956646.tif 000005
【図５】
0005956646.tif 000006
【図６】
0005956646.tif 000007
【図７】
0005956646.tif 000008